【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
装置であって、該装置は、
ヘッドであって、第１の軸の周りに回転可能であり、医療的処置を遂行するように構成された、ヘッドと、
遠位端において該ヘッドに取り付けられ、かつ近位端においてハンドルに取り付けられたプッシュロッドであって、該プッシュロッドは、該第１の軸と実質的に垂直である第２の軸に沿って移動するように構成され、該第２の軸に沿う該プッシュロッドの移動は、該第１の軸の周りに該ヘッドを回転させる、プッシュロッドと、
該ハンドルであって、該ハンドルは、
基部と、自身の第１の端の回転点において基部に結合され、該回転点において、該第２の軸に対して実質的に垂直な第３の軸の周りに回転可能であるレバーであって、該レバーは、該第１の端において該プッシュロッドに結合され、該第３の軸の周りに該レバーを旋回させることによって、該プッシュロッドは第２の軸に沿って移動する、レバーとを含む、該ハンドルと、
該レバーを１つ以上のロック位置にロックするように構成されたロッキングメカニズムであって、該レバーの各ロック位置は、該ヘッドのロック位置に対応する、ロッキングメカニズムと
を備えている、装置。
【請求項２】
請求項１に記載の装であって、前記ヘッドに対する前記ロック位置は、前記第２の軸に対して実質的に０度〜９０度の範囲に及ぶ、装置。
【請求項３】
請求項１に記載の装置であって、前記ロッキングメカニズムは、前記ハンドルに含まれ、
前記基部内に含まれたラチェットメカニズムと、
第１の端において該ラチェットメカニズムに結合され、第２の端において前記レバーの第２の端に結合されている連結部材と
を備え、
前記第３の軸の周りでの前記レバーの回転は、該ラチェットメカニズムを１つ以上の位置に進め、該レバーを前記１つ以上のロック位置にロックする、装置。
【請求項４】
請求項３に記載の装置であって、前記ラチェットメカニズムは、
ラッチと、
１つ以上の歯を含むスライドリンクであって、該歯は、該ラッチに含まれた１つ以上の対応する溝と嵌合するように構成された、スライドリンクと
を備え、
該ラッチは、該スライドリンクに含まれた該歯と嵌合するように構成された１つ以上の溝を含み、
該１つ以上の歯は、最初の位置および１つ以上の延長された位置を含む複数の位置における１つ以上の溝と嵌合するように構成され、少なくとも１つの位置は、前記レバーのロック位置に対応する、装置。
【請求項５】
請求項４に記載の装置であって、前記スライドリンクの一端と前記基部の近位端との間に結合された伸長スプリングであって、該伸長スプリングは、前記ラッチの対応する溝に前記歯をロードする、伸長スプリングをさらに備えている、装置。
【請求項６】
請求項５に記載の装置であって、前記基部は、リリースをさらに含み、該リリースは、前記ラッチと係合して前記スライドリンクから該ラッチを解除し、その結果前記伸長スプリングは、前記最初の位置により近い代替の位置に該スライドリンクを再配置し得るように動作可能である、の装置。
【請求項７】
請求項１に記載の装置であって、前記プッシュロッドは、該プッシュロッドを前記ヘッドに結合するためのカムを、遠位端において含む、装置。
【請求項８】
請求項１に記載の装置であって、前記ヘッドは、
先細りのトランクと、
該先細りのトランクの遠位端に取り付けられた円板であって、該円板は、ドーム形状の上面を有し、かつ該円板の円周に実質的に３６０度のカッティング面を有する、円板と
を備えている、装置。
【請求項９】
請求項１に記載の装置であって、前記第１の軸は、前記第３の軸に対して実質的に垂直である、装置。
【請求項１０】
請求項１に記載の装置であって、前記第１の軸は、前記第３の軸に対して実質的に平行である、装置。
【請求項１１】
装置であって、該装置は、
１つ以上のカッティング部分を含み、近位端において、プッシュロッドに取り付けられた、ヘッドと、
近位端において、ハンドルに取り付けられ、第１の軸に沿って移動するように構成された該プッシュロッドであって、該第１の軸に沿う該プッシュロッドの移動は、該第１の軸に沿って該ヘッドを移動させる、該プッシュロッドと、
該ハンドルであって、該ハンドルは
基部と、自身の第１の端の回転点において該基部に結合され、該回転点において、該第１の軸に対して実質的に垂直な第２の軸の周りに回転可能であるレバーであって、該レバーは、該第１の端において該プッシュロッドに結合され、該第２の軸の周りに該レバーを旋回させることによって、該プッシュロッドは第１の軸に沿って移動する、レバーとを含む、該ハンドルと、
該レバーを１つ以上のロック位置にロックするように構成されたロッキングメカニズムであって、該レバーの各ロック位置は、該ヘッドのロック位置に対応する、ロッキングメカニズムと
を含む、装置。
【請求項１２】
請求項１１に記載の装置であって、前記ヘッドの少なくとも一部分は、形状記憶材料から形成され、それによって、第１の温度で該ヘッドの一部分はコンパクトな位置にあり、第２の異なる温度で該ヘッドの一部分は、カッティング位置に配備され、該ヘッドは前記プッシュロッドの移動および／または回転でカッティングするように構成された、装置。
【請求項１３】
請求項１１に記載の装置であって、前記ヘッドは、３つ以上のフィンガのセットを備えており、前記１つ以上のカッティング部分は、カッティングまたはスクレーピングのために構成されたフィンガの各々の少なくとも一部分を備えている、装置。
【請求項１４】
請求項１３に記載の装置であって、前記各フィンガは、近位端および遠位端を含み、前記フィンガのうちの少なくとも２つの遠位端は相互に接続されている、装置。
【請求項１５】
請求項１３に記載の装置であって、少なくとも１つのフィンガは、該フィンガの遠位端において別のフィンガと相互に接続していない、装置。
【請求項１６】
請求項１３に記載の装置であって、前記３つ以上のフィンガのうちの少なくとも１つの前記カッティング部分は、円形コイン状端、長方形コイン状端、湾曲端、複数湾曲端、返り端、平らなコイル状端、平らなループ状端、曲がりかつコイン状端、コイル状端、曲がりコイル状端、砂時計コイル状端、截骨刀状端、泡立て器状端、かえし状端、複数湾曲端、フック状端、鋭利端、ヘアピンループ端、曲がり端、プレスばめ端、小鎌状端、湾曲カニューレ状端、王冠状端、鎚矛状端、ヘリコプター状端、交差状端、シャベル状端、および複数窓チューブ端から成る群から選択された構成を有する一部分を備えている、装置。
【請求項１７】
請求項１３に記載の装置であって、前記プッシュロッドを移動させることは、前記第１の軸に対して実質的に同一線上の形状から実質的に非同一線上の形状へ、前記３つ以上のフィンガを配備する、装置。
【請求項１８】
装置であって、該装置は、
細長い部材であって、該細長い部材の遠位領域に配置されてはいるが、該細長い部材の遠位チップに対しては近位である３つ以上のフィンガの第１のセットを含む、細長い部材を備え、該各フィンガは、近位端および遠位端を含み、該フィンガのうちの少なくとも２つの該遠位端は該細長い部材の該遠位チップに接続され、該フィンガの各々の少なくとも一部分は、カッティングまたはスクレープイングするために構成された、装置。
【請求項１９】
請求項１８に記載の装置であって、前記３つ以上のフィンガは、骨、軟骨およびその硬化した派生物、膜骨、ならびに軟骨性骨から成る群から選択された、対象の内部骨格支持組織をカッティングまたはスクレーピングするために構成された、装置。
【請求項２０】
請求項１８に記載の装置であって、少なくとも１つのフィンガは、該フィンガの遠位端において前記細長い部材の前記遠位チップに接続されていない、装置。
【請求項２１】
請求項１８に記載の装置であって、前記細長い部材は、金属、形状記憶材料およびポリマーから成る群から選択された材料から構成された、装置。
【請求項２２】
請求項１８に記載の装置であって、前記３つ以上のフィンガのうちの少なくとも１つは、円形コイン状端、長方形コイン状端、湾曲端、複数湾曲端、返り端、平らなコイル状端、平らなループ状端、曲がりかつコイン状端、コイル状端、曲がりコイル状端、砂時計コイル状端、截骨刀状端、泡立て器状端、かえし状端、複数湾曲端、フック状端、鋭利端、ヘアピンループ端、曲がり端、プレスばめ端、小鎌状端、湾曲カニューレ状端、王冠状端、鎚矛状端、ヘリコプター状端、交差状端、シャベル状端、および複数窓チューブ端から成る群から選択された構成を有するカッティングまたはスクレーピング部分を備えている、装置。
【請求項２３】
請求項１８に記載の装置であって、前記３つ以上のフィンガは、前記細長い部材の長手方向の軸に対して実質的に同一線上の形状から実質的に非同一線上の形状への配備が可能である、装置。
【請求項２４】
請求項１８に記載の装置であって、前記細長い部材は、３つ以上のフィンガの前記第１のセットの近くに配置された３つ以上のフィンガの第２のセットをさらに含み、該各フィンガは、前記近位端および前記遠位端を含み、該フィンガのうちの少なくとも２つの該遠位端は、該細長い部材に接続され、該フィンガの各々の少なくとも一部分はカッティングまたはスクレーピングするために構成された、装置。
【請求項２５】
請求項２４に記載の装置であって、３つ以上のフィンガの前記第２のセットは、前記細長い部材の長手方向の軸に対して実質的に同一線上の形状から実質的に非同一線上の形状への配備が可能である、装置。
【請求項２６】
装置であって、該装置は、
カニューレであって、内部管腔と、該内部管腔から該カニューレの遠位部分に位置する外面に延びる１つ以上の開口とを含む、カニューレと、
該カニューレの該内部管腔内に配置された細長い部材であって、該細長い部材は、
該細長い部材の遠位領域に配置されてはいるが、該細長い部材の遠位チップに対しては近位である２つ以上のフィンガを含み、各フィンガは、近位端および遠位端を含み、少なくとも１つのフィンガの該遠位端は該細長い部材の該遠位チップに接続され、各フィンガは、カッティングまたはスクレーピングするために構成されたカッティング部分を含む、細長い部材と
を備え、
該細長い部材は、該カニューレ内に配置され、それによって、該フィンガの該カッティング部分は、該カニューレにおける該１つ以上の開口を通って配備が可能である、装置。
【請求項２７】
請求項２６に記載の装置であって、前記カニューレ遠位部分は、前記細長い部材の前記遠位チップの運動を阻止するように構成された、装置。
【請求項２８】
請求項２７に記載の装置であって、前記カニューレ遠位部分が、前記細長い部材の前記遠位チップの運動を阻止するとき、前記２つ以上のフィンガの前記カッティング部分は、前記１つ以上の開口を通って配備させられる、装置。
【請求項２９】
請求項２６に記載の装置であって、前記細長い部材の前記２つ以上のフィンガは、金属、形状記憶材料およびポリマーから成る群から選択された材料から構成された、装置。
【請求項３０】
請求項２６に記載の装置であって、前記細長い部材の前記フィンガのうちの少なくとも１つの遠位部分は、該細長い部材の前記遠位チップに接続されていない、装置。
【請求項３１】
請求項２６に記載の装置であって、前記２つ以上のフィンガは、骨、軟骨およびその硬化した派生物、膜骨、ならびに軟骨性骨から成る群から選択された、対象の内部骨格支持組織をカッティングまたはスクレーピングするために構成された、装置。
【請求項３２】
装置であって、該装置は、
細長い部材であって、形状記憶材料から形成され、該細長い部材の遠位領域に配置されてはいるが、該細長い部材の遠位チップに対しては近位である２つ以上のフィンガのセットを含む、細長い部材を備え、該各フィンガは、近位端および遠位端を含み、該フィンガのうちの少なくとも１つの該遠位端は該細長い部材の該遠位チップに接続され、該フィンガの各々の少なくとも一部分は、カッティングまたはスクレープイングするために構成された、細長い部材を備えている、装置。
【請求項３３】
請求項３２に記載の装置であって、前記２つ以上のフィンガは、金属、形状記憶材料およびポリマーから成る群から選択された材料から構成された、装置。
【請求項３４】
請求項３２に記載の装置であって、前記２つ以上のフィンガは、前記細長い部材から取り外し可能である、装置。
【請求項３５】
請求項３２に記載の装置であって、前記フィンガのうちの１つ以上は、円形コイン状端、長方形コイン状端、湾曲端、複数湾曲端、返り端、平らなコイル状端、平らなループ状端、曲がりかつコイン状端、コイル状端、曲がりコイル状端、砂時計コイル状端、截骨刀状端、泡立て器状端、かえし状端、複数湾曲端、フック状端、鋭利端、ヘアピンループ端、曲がり端、プレスばめ端、小鎌状端、湾曲カニューレ状端、王冠状端、鎚矛状端、ヘリコプター状端、交差状端、シャベル状端、および複数窓チューブ端から成る群から選択された構成を有するカッティングまたはスクレーピング部分を備えている、装置。
【請求項３６】
請求項３２に記載の装置であって、前記２つ以上のフィンガは、前記細長い部材の長手方向の軸に対して実質的に同一線上の形状から実質的に非同一線上の形状への配備が可能である、装置。
【請求項３７】
請求項３２に記載の装置であって、前記２つ以上のフィンガは、骨、軟骨およびその硬化した派生物、膜骨、ならびに軟骨性骨から成る群から選択された、対象の内部骨格支持組織をカッティングまたはスクレーピングするために構成された、装置。